(57)【要約】      （修正有）【課題】ぶら下り健康椅子の提供。【解決手段】左右一対の脚が一体で側面視において直線状に形成された後脚部１と、左右一対の脚が一体で側面視において直線状に形成された前脚部３と、側面視において直線状に形成された座部６とを備え、前記後脚部１は、座部６に座った状態において両手が届く範囲の高さ位置にぶら下り部２を有し、前記前脚部３は、前記脚部に軸着された上端側を回動軸３３として前記後脚部１の前方側に当該前脚部３の下端側が振り出し自在に設けられ、前記座部６は、当該座部６の左右側面側が前記前脚部３の左右の脚間に回動自在に軸着されたこと。又、ぶら下り部２は、両手を頭上に伸ばして届く高さ位置に配設されたこと。【選択図】図１
2005169060.tif 000002
【特許請求の範囲】
【請求項１】
左右一対の脚が一体で側面視において直線状に形成された後脚部と、左右一対の脚が一体で側面視において直線状に形成された前脚部と、側面視において直線状に形成された座部とを備え、
前記後脚部は、座部に座った状態において両手が届く範囲の高さ位置にぶら下り部を有し、
前記前脚部は、前記脚部に軸着された上端側を回動軸として前記後脚部の前方側に当該前脚部の下端側が振り出し自在に設けられ、
前記座部は、当該座部の左右側面側が前記前脚部の左右の脚間に回動自在に軸着されたことを特徴とするぶら下り健康椅子。
【請求項２】
ぶら下り部は、両手を頭上に伸ばして届く高さ位置に配設されたことを特徴とする請求項１に記載のぶら下り健康椅子。
【請求項３】
座部は、当該座部の前後方向において軸着部の前方側が後方側より重く、自由な状態において前方側が下方に垂下し、側面視において垂直状態となることを特徴とする請求項１又は請求項２に記載のぶら下り健康椅子。
【請求項４】
座部は、当該座部の前後方向において軸着部の前方側が後方側より重く、自由な状態において前方側が下方に垂下し、側面視において垂直状態となるように、当該座部の後方側に、切欠部を設けたことを特徴とする請求項１乃至請求項３の何れかに記載のぶら下り健康椅子。
【請求項５】
切欠部は、座部に座った状態において臀部の後部が嵌り込む縁部を有することを特徴とする請求項４に記載のぶら下り健康椅子。
【請求項６】
切欠部は、座部の後方側から前方側に向かって略Ｕ字状に形成されたことを特徴とする請求項４又は請求項５に記載のぶら下り健康椅子。
【請求項７】
前脚部はコ字形、後脚部は伏せコ字形であることを特徴とする請求項１乃至請求項６の何れかに記載のぶら下り健康椅子。
【請求項８】
前脚部は、後脚部を垂直に立てた状態において当該前脚部の下端が接地面から離れる長としたことを特徴とする請求項１乃至請求項７の何れかに記載のぶら下り健康椅子。
【請求項９】
前脚部は、後脚部を垂直に立てた状態の側面視において後脚部と重なるよう当該後脚部の両脚間に配設されたことを特徴とする請求項１乃至請求項８の何れかに記載のぶら下り健康椅子。
【請求項１０】
座部は、前脚部が垂直状態の側面視において前脚部と重なるよう当該前脚部の両脚間に配設されたことを特徴とする請求項１乃至請求項９の何れかに記載のぶら下り健康椅子。
【請求項１１】
前脚部は、上端側の両脚間に掛け渡された背当部を有することを特徴とする請求項１乃至請求項１０の何れかに記載のぶら下り健康椅子。
【請求項１２】
前脚部は、後脚部との最大開脚限度を規定する開脚度規制手段を有することを特徴とする請求項１乃至請求項１１の何れかに記載のぶら下り健康椅子。
【発明の詳細な説明】
【技術分野】
【０００１】
本発明は、ぶら下り部を有する折り畳み自在な椅子に関するものである。
【背景技術】
【０００２】
従来、健康を維持、増進させる身体運動用のぶら下り健康機器が種々提案されているが、その多くはぶら下り専用機器であり、兼用される機器であっても、それは他の健康機器が併設されるものであった。
【発明の開示】
【発明が解決しようとする課題】
【０００３】
この種の健康機器は、専用機器はもとより兼用機器となるほど比較的広い設置スペースを必要とするため、不使用時における収納のコンパクト化の問題を如何に解決するかが問題とされてきた。
【課題を解決するための手段】
【０００４】
本発明は、日常的に家具として使用される椅子の上部にぶら下り機構を設けたことを主要な特徴とする。
【０００５】
請求項１のぶら下り健康椅子の発明は、  左右一対の脚が一体で側面視において直線状に形成された後脚部と、左右一対の脚が一体で側面視において直線状に形成された前脚部と、側面視において直線状に形成された座部とを備え、前記後脚部は、座部に座った状態において両手が届く範囲の高さ位置にぶら下り部を有し、前記前脚部は、前記脚部に軸着された上端側を回動軸として前記後脚部の前方側に当該前脚部の下端側が振り出し自在に設けられ、前記座部は、当該座部の左右側面側が前記前脚部の左右の脚間に回動自在に軸着されたことを特徴とする。
【０００６】
請求項２の発明は、請求項１に記載のぶら下り健康椅子において、ぶら下り部は両手を頭上に伸ばして届く高さ位置に配設されたことを特徴とする。
【０００７】
請求項３の発明は、請求項１又は請求項２に記載のぶら下り健康椅子において、座部は、当該座部の前後方向において軸着部の前方側が後方側より重く、自由な状態において前方側が下方に垂下し、側面視において垂直状態となることを特徴とする。
【０００８】
請求項４の発明は、請求項１乃至請求項３の何れかに記載のぶら下り健康椅子において、座部は、当該座部の前後方向において軸着部の前方側が後方側より重く、自由な状態において前方側が下方に垂下し、側面視において垂直状態となるように、当該座部の後方側に切欠部を設けたことを特徴とする。
【０００９】
請求項５の発明は、請求項４に記載のぶら下り健康椅子において、切欠部は座部に座った状態において臀部の後部が嵌り込む縁部を有することを特徴とする。
【００１０】
請求項６の発明は、請求項４又は請求項５に記載のぶら下り健康椅子において、切欠部は座部の後方側から前方側に向かって略Ｕ字状に形成されたことを特徴とする。
【００１１】
請求項７の発明は、請求項１乃至請求項６の何れかに記載のぶら下り健康椅子において、前脚部はコ字形、後脚部は伏せコ字形であることを特徴とする。
【００１２】
請求項８の発明は、請求項１乃至請求項７の何れかに記載のぶら下り健康椅子において、前脚部は後脚部を垂直に立てた状態において当該前脚部の下端が接地面から離れる長としたことを特徴とする。
【００１３】
請求項９の発明は、請求項１乃至請求項８の何れかに記載のぶら下り健康椅子において、前脚部は後脚部を垂直に立てた状態の側面視において後脚部と重なるよう当該後脚部の両脚間に配設されたことを特徴とする。
【００１４】
請求項１０の発明は、請求項１乃至請求項９の何れかに記載のぶら下り健康椅子において、座部は前脚部が垂直状態の側面視において前脚部と重なるよう当該前脚部の両脚間に配設されたことを特徴とする。
【００１５】
請求項１１の発明は、請求項１乃至請求項１０の何れかに記載のぶら下り健康椅子において、前脚部は上端側の両脚間に掛け渡された背当部を有することを特徴とする。
【００１６】
請求項１２の発明は、請求項１乃至請求項１１の何れかに記載のぶら下り健康椅子において、前脚部は後脚部との最大開脚限度を規定する開脚度規制手段を有することを特徴とする。
【発明の効果】
【００１７】
本発明によれば、日常的に家具として使用される椅子の上部にぶら下り機構を設けたものであるから、ぶら下り機構のための収納スペースの必要性を無くすことができる。
【００１８】
又、本発明によれば、ぶら下り部を備えた椅子自体が折り畳み自在な構成であるから、椅子としてもその不使用時における収納のコンパクト化を実現することができる。
【発明を実施するための最良の形態】
【００１９】
以下、本考案を木製の椅子を例にして基本的構成を図1及び図２に基づいて説明する。
【実施例１】
【００２０】
図１は斜視図、図２は使用状態の側面視を描いた側面図である。
図1及び図２において、符号１は後脚部である。後脚部１は、左右一対の脚部１１，１２が直線状の部材を用いて平行及び一体に形成されており、図２に示すように側面視において直線状となる。尚、ここで直線状とは、正しい直線に限らず、ほぼ直線的に延在する状態をいう。
【００２１】
この後脚部１は、後述す得る座部に人が座った状態において、両手が届く範囲の高さ位置、この例では、両手を頭上に伸ばして届く高さ位置にぶら下り部2を有している。
このぶら下り部２は、一体的に形成された平行な左右一対の脚部１１，１２の上端を更にそのまま上方に延在させた上端部間に、手で握ることができる棒状部材を水平方向に掛け渡して構成し、当該ぶら下り部２と左右一対の脚部１１，１２とで後脚部１の全体が伏せコ字形となっている。
【００２２】
符号３は前脚部である。前脚部３もまた一体的に形成された平行な左右一対の脚部３１，３２が直線状の部材を用いて平行及び一体に形成されており、図２に示すように側面視において直線状となる。
この実施例に示す前脚部３には、左右一対の脚部３１，３２の上端部間に掛け渡すように背当部４が水平に配設されて構成され、図１の斜視図から分かるとおり、背当部２と左右一対の脚部３１，３２とで前脚部１の全体が伏せコ字形となっているが、脚部３１，３２の下端間を一連に繋げて一体化したコ字形とすることもできる（図示せず）し、更にこの場合、背当部４を前記のように設ければ、前脚部３はロ字形となる（図示せず）。
【００２３】
このように構成された前脚部３は、部後脚部１の左右の脚部１１，１２間に、当該前脚部３の上端側が回動軸３３を介して回動自在に軸着されており、しかも、側面視において当該前脚部３の前後方向の厚さと後脚部１の前後方向の厚さとが重なるように形成している。
このように、少なくとも、前脚部３の前後方向の厚さと後脚部１の前後方向の厚さとを、側面視において少なくとも一部が重なるよう形成しておくことによって、重ねた状態、即ち不使用時における前脚部３と後脚部１との前後方向の全体の厚さを小さくすることができ、収納時のコンパクト化を実現させることができる。
【００２４】
図示の前脚部３は回動軸３３から下端即ち接地端までの長さ（以下、前脚部３の脚長ともいう）が、後脚部１の回動軸３３から下端即ち接地端までの長さ（以下、後脚部１の脚長ともいう）より長く形成され、椅子としての使用時において後脚部１が垂直状態となるように構成されている。
しかし、これに限らず、後脚部１を垂直状態（垂直状態とは、正確な垂直に限らず、ほぼ垂直状態即ち所謂立てた状態を含む意味である。）に立てたとき前脚部３の下端が接地しない長さ即ち接地面から離れる長さとなるように、前脚部３の脚長を後脚部１の脚長より短く構成してもよい。このように構成すると、椅子としての使用時において後脚部１と前脚部３との側面視が「人」の字形となるが、後脚部１の下端（接地端）を接地させたまま当該後脚部１を前方に傾けることにより、前方側に好ましくは自然に或いは軽く手を沿えることによって振り出し自在とすることができる。
【００２５】
符号５は、前脚部３と後脚部１との最大開脚限度を規定する開脚度規制手段であり、前脚部３の左の脚３１と後脚部１の左の脚１１との脚間、及び前脚部３の右の脚３２と後脚部１の右の脚１２との脚間に各々介在させている。この開脚度規制手段としては、両端側を料脚部に固定した所定長さの適当な紐帯であってもよいし（図示せず）、長尺部材の一方端側を一方の脚と回動自在とし、他方端側の係合凹部を他方の係止突起部に係脱自在に係合させる手段を用いてもよい（図示せず）。
【００２６】
符号６は座部である。座部６は、側面視において前後方向に直線状で、この実施例では、その厚さが前脚部３の前後方向の厚さと同等或いは少なくとも小さく形成されており、当該座部３の左右側面側が前記前脚部３の左右の脚３１，３２間に回動軸６１を介して回動自在に軸着されている。座部６はこの回動軸６１のみで前脚部６に支承されているため、着座時においては臀部の位置を前後方向において均衡が保たれるようバランスよく座る必要がある。
【００２７】
しかし、座部３をこのように回動自在に配設することによって、座ったままで背筋を伸ばそうとする場合には、両手を上げてぶら下り部２を掴んだ状態で臀部を座面の上を滑らせる要領で臀部を浮かせながら前方に移動させれば座部３が抵抗無く前方が下がって前傾するので、座を離れることなく両足を接地させたままで上半身のぶら下り運動を腰（臀部）を落とした状態で容易に行うことができるし、ぶら下り状態のままで臀部を座面の上を滑らせる要領で後方に移動させれば座部３が抵抗無く水平状態に復帰するので、そのまま椅子に座った着座状態に戻すことができる。
【００２８】
即ち、この実施例の椅子によれば、座ったままの状態で、例えば、デスク作業中の何時でも、疲れを感じたときなど、随時ぶら下り運動を容易に行うことができ、そのまま直ちに仕事を継続することもできる。しかも、ぶら下り状態での背筋の伸展は上半身の大半の重さの負荷が掛かるため、単に座った状態で両手を突き上げる背伸びよりも、遥かに効果的である。
【００２９】
又、この座部６は、その厚さが前脚部３の前後方向の厚さと同等或いは少なくとも小さく形成されているので、座部６及び前後脚部１，３が垂直状態に折りたたまれたとき、折りたたみの厚さが後脚部１と重なるので、収納スペースを後脚部１自体のスペースに収めることができ、コンパクト化を最小スペースに実現することができる。
又、座部６は前脚部３に、前脚部３は後脚部１の内部に納めることができるので、運搬や保管或いは梱包の便によい。
【００３０】
更にこの座部６は、当該座部６の前後方向において回動軸６１即ち座部６の軸着部６１の前方側が後方側より重く、自由な状態において前方側が下方に垂下し、側面視において垂直状態となるよう構成することによって、座部６には常時その前端側が垂直下方に位置させる回動付勢が作用するので、座る際には、手で座部６を操作することなく、臀部を座面の上を滑らせる要領で後方に移動させるだけで容易且つ迅速に着座することができる。
【００３１】
又、ぶら下り部２に掴まって座ったままで背筋を伸ばす際には、臀部を座面から浮かすだけで座部６が前傾するので、ぶら下り動作を行う際に座部６の存在を気にする必要が無くなる。
又、椅子として着座していない状態のときには座部６が自ずと前後方向が垂直状態となるので、水平状態において前方に突き出る座部６の前端側が存在しなくなるので、非着座状態での椅子の占有スペースを縮小化させることができる。
【００３２】
又、椅子自体を撤去して収納する際には、後脚部２或いはぶら下り部２を軽く持ち上げたり、後脚部２を設置させたまま当該後脚部１を後方に傾けるだけで、自重により自ずから前脚部３と共に座部６が垂直状態となるので、椅子の折り畳み作業に力を要することなく、高齢者や非力な女性達であっても容易に行うことができる。
【００３３】
図に示すように、この実施例の座部６には、常時その前端側が垂直下方に位置させる回動付勢が作用するように、座部６の後方側から前方側に向かって略Ｕ字状の切欠部６２を形成して当該座部６の後方側を軽量化すると共に、その切欠部６２には、座部６に座った状態において臀部の後部が嵌り込んで引っかかる縁部６３が形成されている。
このように、臀部の一部が引っかかる縁部６３を設けることにより、使用者は座面上において臀部の位置を適宜選択することにより、安定して着座することができ、又、当該縁部６３を利用して臀部の作用で座部６に前後何れの方向でも容易に回動させることができるので、手を使うことなく操作性のよいぶら下り健康椅子を提供することができる。
【００３４】
尚、上記説明では、前脚部３や座部６は何れも自由回転の状態で軸着されているが、必ずしも、これに限らず、例えば、軽く手を添える程度で回動するように軸着しておいてもよい。
【産業上の利用可能性】
【００３５】
本発明に係るぶら下り健康椅子は、家庭用は勿論の事ながら、事務或いは生産作業現場の椅子としても用いることができ、着座したままで、特別なスペースを要せず、各自が何時でも容易に、健康やリラックスに効果的なぶら下り運動を行うことができるので、長時間にわたる座り作業によって生ずる身体の疲れを解消することができ、生産性を著しく向上させることができる。
【図面の簡単な説明】
【００３６】
【図１】ぶら下り健康椅子の斜視図である。（実施例１）
【図２】ぶら下り健康椅子の側面図である。（実施例１）
【符号の説明】
【００３７】
１    後脚部
２    ぶら下り部
３    前脚部
３３  回動軸
４    背当部
５    開脚度規制手段
６    座部
６１  回動軸
６２  切欠部
６３  縁部
【図１】
2005169060.tif 000003
【図２】
2005169060.tif 000004